(57)【要約】基本骨組（１０）とそれによりそれぞれ保持される座面（１１）及び背もたれ（１２）を持つ腰掛けの形の椅子であって、少なくとも１つの座面区域（１３）及び背もたれ区域（１４）が、その隣にある椅子の座面（１１）及び背もたれ（１２）の部分範囲（１５，１６）から分離して形成され、背もたれ区域（１４）に揺動可能に結合される座面区域（１３）が、基本骨組（１０）から取外し可能であり、かつその上部自由端を丁番（１７）により基本骨組（１０）に結合される背もたれ区域（１４）の揺動により、背もたれ区域（１４）と共に、椅子の座面（１１）に対して間隔をとる水平な姿勢へ、背もたれ区域（１４）及び座面区域（１３）の伸ばされた配置で開き持上げ可能であり、背もたれ区域（１４）をそれに取付けられた座面区域（１３）と共に開き持上げられた位置に固定するため、立てることができかつ背もたれ区域（１４）の下側に固定できる可動支柱（１９）が設けられている。
2014507236.tif 000002
【特許請求の範囲】
【請求項１】
基本骨組（１０）とそれによりそれぞれ保持される座面（１１）及び背もたれ（１２）を持つ腰掛けの形の椅子であって、少なくとも１つの座面区域（１３）及び背もたれ区域（１４）が、その隣にある椅子の座面（１１）及び背もたれ（１２）の部分範囲（１５，１６）から分離して形成され、背もたれ区域（１４）に揺動可能に結合される座面区域（１３）が、基本骨組（１０）から取外し可能であり、かつその上部自由端を丁番（１７）により基本骨組（１０）に結合される背もたれ区域（１４）の揺動により、背もたれ区域（１４）と共に、椅子の座面（１１）に対して間隔をとる水平な姿勢へ、背もたれ区域（１４）及び座面区域（１３）の伸ばされた配置で開き持上げ可能であり、背もたれ区域（１４）をそれに取付けられた座面区域（１３）と共に開き持上げられた位置に固定するため、立てることができかつ背もたれ区域（１４）の下側に固定できる可動支柱（１９）が設けられている、椅子。
【請求項２】
開き持上げ可能な背もたれ区域（１４）に、背もたれ区域（１４）と共に伸ばされた姿勢へもたらされる座面区域（１３）を支持する少なくとも１つの支持角形片が設けられている、請求項１に記載の椅子。
【請求項３】
一緒に開き持上げ可能な背もたれ区域（１４）及び座面区域（１３）の横にある座面（１１）及び背もたれ（１２）の部分範囲（１５，１６）が、背もたれ面に対して平行に移動可能に基本骨組（１０）に設けられている、請求項１又は２に記載の椅子。
【請求項４】
一緒に開き持上げ可能な背もたれ区域（１４）及び座面区域（１３）の横にある座面（１１）及び背もたれ（１２）の部分範囲（１５，１６）が、基本骨組（１０）において、座面（１１）の面に対して直角に向く軸線の周りに回転可能である、請求項１〜３の１つに記載の椅子。
【請求項５】
開き持上げられる背もたれ区域（１４）において、丁番（１８）によりそれに連結される座面区域（１３）が、背もたれ区域（１４）に対して角をなしてそびえ立つ位置へ揺動可能である、請求項１〜４の１つに記載の椅子。
【請求項６】
背もたれ区域（１４）と座面区域（１３）との間に設けられる丁番（１８）が、座面区域（１３）のそびえ立つ位置で拘束可能な丁番として構成されている、請求項５に記載の椅子。
【請求項７】
基本骨組（１０）が複数の管状梁から構成され、座面（１１）及び背もたれ（１２）が、付属する梁上に個々に載せられてそれに取付けられる木材（２１）から形成されている、請求項１〜６の１つに記載の椅子。
【発明の詳細な説明】
【技術分野】
【０００１】  本発明は、基本骨組とそれによりそれぞれ保持される座面及び背もたれを持つ腰掛けの形の椅子に関する。
【背景技術】
【０００２】  このような椅子が使用により一般に公知であり、椅子として存在する腰掛けは、特に互いに並んで座面上に座る複数の人間による占有の機能のみを許す。さてテーブル甲板の形の載置面が望まれる状況が生じる。しかし別のテーブルの添え置きは、場所の理由からしばしば可能でない。更に別のテーブルを準備しておくことは、その保管のための場所及び別に製造すべきテーブルの余分な製造費を意味する。
【発明の概要】
【発明が解決しようとする課題】
【０００３】  最初にあげた種類の椅子を使用可能にし、単なる座り機能のほかに少なくとも１つの別の機能も使用可能にすることが、本発明の基礎になっている。
【課題を解決するための手段】
【０００４】  この課題の解決策は、有利な構成及び展開を含めて、この明細書の後にある特許請求の範囲の内容から明らかになる。【０００５】  本発明は、その基本思想において、基本骨組とそれによりそれぞれ保持される座面及び背もたれを持つ腰掛けの形の椅子において、少なくとも１つの座面区域及び背もたれ区域が、その隣にある椅子の座面及び背もたれの部分範囲から分離して形成され、背もたれ区域に揺動可能に結合される座面区域が、基本骨組から取外し可能であり、かつその上部自由端を丁番により基本骨組に結合される背もたれ区域の揺動により、背もたれ区域と共に、椅子の座面に対して間隔をとる水平な姿勢へ、背もたれ区域及び座面区域を伸ばされた配置で開き持上げ可能であり、背もたれ区域をそれに取付けられた座面区域と共に開き持上げられた位置に固定するため、立てることができかつ背もたれ区域の下側に固定できる可動支柱が設けられている。【０００６】  本発明には、本発明による椅子がまず複数なるべく３人の互いに並んで座面に座る人間による占有を可能にするという利点を伴う。しかしそれに加えて、複数の背もたれ、座面とは別に使用される背もたれ範囲及びそれに揺動可能に取付けられる座面範囲の連続する推移を一緒に、背もたれ及び座面から開き揺動させることができ、その際座面範囲は背もたれ範囲と共に、上端におけるその揺動可能性のため、基本骨組に関して座面及び背もたれの面から開き持上げられて、基本骨組の上端にある面へ、椅子の残っている座面に対して間隔を置いてもたらされ、この位置で立てることができる支柱により拘束可能である。背もたれ区域のこれに関する揺動運動の際、丁番によりそれに連結される座面区域が、背もたれ区域と共に伸ばされた姿勢をとる。この開き揺動により、更に椅子の別の構成部分を形成する一体のテーブル面が形成されて、背もたれ又はこれを保持する基本骨組の高さの適当な設計の際、椅子の残っている部分範囲に座る人間に対して置かれるテーブル板に関して快適な座り姿勢が生じるような間隔を座面に対してとって設けられている。その点で本発明に、必要な場合テーブル板が腰掛け構造から開き揺動され、付加的なテーブルを添え置いて保管する必要なしに、機能せしめられる。【０００７】  その際本発明は、適当な長さの範囲を持つ椅子において、複数の開き揺動可能な背もたれ範囲を、それに連結される座面範囲と共に、背もたれ及び座面の定置部分範囲と交互に設けることまで及ぶ。【０００８】  本発明の実施形態によれば、開き持上げ可能な背もたれ区域に、背もたれ区域と共に伸ばされた姿勢へもたらされる座面区域を支持する少なくとも１つの支持角形片が設けられている。これにより特に丁番を介して実現される座面範囲と背もたれ範囲との揺動可能な結合が限定され、開かれるテーブル板の安定性が保証される。【０００９】  取扱い易さ及び座り心地を向上するため、一緒に開き持上げ可能な背もたれ区域及び座面区域の横にある座面及び背もたれの部分範囲が、背もたれ面に対して平行に移動可能に基本骨組に設けられているようにすることができる。【００１０】  その代わりに又はそれに加えて、一緒に開き持上げ可能な背もたれ区域及び座面区域の横にある座面及び背もたれ���部分範囲が、基本骨組において、座面の面に対して直角に向く軸線の周りに回転可能であるので、外にあって更に持つべき座面及び背もたれの部分範囲の回転によって、開き持上げ可能なテーブルの長辺に座り位置をとることができる。【００１１】  本発明の展開によれば、開き持上げられる背もたれ区域において、丁番によりそれに連結される座面区域が、背もたれ区域に対して角をなしてそびえ立つ位置へ揺動可能である。それにより上方揺動される背もたれ区域が座面として、またそびえ立つ位置へもたらされる座面区域が高められる座り場所の背もたれとして、例えば子供のために設けられるので、本発明による椅子は背もたれ区域及び座面区域のこの位置で異なる座り位置を提供する。【００１２】  これに加えて、背もたれ区域と座面区域との間に設けられる丁番が、座面区域のそびえ立つ位置で拘束可能な丁番として構成されて、直立してそびえ立つ座面区域へもたらされる座面区域を関係する位置に固定することができる。【００１３】  本発明の実施形態によれば、基本骨組が複数の管状梁から構成され、座面及び背もたれが、付属する梁上に個々に載せられてそれに取付けられる木材から形成されている。【００１４】  図面に本発明の実施例が示されており、以下に説明される。
【図面の簡単な説明】
【００１５】
【図１】  腰掛けとして構成される椅子を正面図で示す。
【図２】  図１による腰掛を側面図で示す。
【図３】  腰掛け面から開き持上げられたテーブル面を持つ図２の対象物を示す。
【図４】  図３の対象物を斜視図で示す。
【図５】  テーブル面を持つ腰掛けを正面図で示す。
【図６】  図５の対象物を平面図で示す。
【図７】  腰掛け面から開き持上げられて高められる座り場所を持つ腰掛けを図３による側面図で示す。
【発明を実施するための形態】
【００１６】  まず図１及び２からわかるように、腰掛けとして形成される椅子は、管状梁から構成される基本骨組１０から成り、この基本骨組に座面１１及び背もたれ１２が形成されている。座面１１及び背もたれ１２は、基本骨組１０の付属する梁上に載せられる木材２１からそれぞれ形成されている。実施例に示される腰掛けは、３人の人間が互いに並んで腰掛け上に快適に座ることができるように設計されている。
【００１７】  椅子の中間範囲において、座面区域１３及び背もたれ区域１４は、分離線２５に沿って、隣接する座面１１及び背もたれ１２の座面範囲１５及び背もたれ範囲１６から分離して形成され、それらを保持する梁を備えている。後述する説明に従って座面区域１３及び背もたれ区域１４は、上に残る座面範囲１５及び背もたれ範囲１６を持つ基本骨組１０に対して、一緒に可動である。
【００１８】  図３及び４からわかるように、背もたれ区域１４は、その上端に取付けられる丁番１７により、基本骨組１０に揺動可能に設けられている。丁番１７とは反対側にある背もたれ１４の下端は、それに隣接する座面区域１３に、これらの区域を結合する丁番１８を介して連結されている。従って図３及び４からわかるように、座面区域１３及び背もたれ区域１４は、座面１１及び背もたれ１２の面から一緒に開き持上げ可能であり、それにより座面区域１３及び背もたれ区域１４は、互いに伸ばされた姿勢へ動き、一緒になって水平で座面１１の面に対して間隔を持つ姿勢をとる。この位置で背もたれ区域１４は、基本骨組１０においてそれに形成される回転軸受２０の周りに可動な支柱１９により固定可能であり、そのため支柱１９は上方揺動され、適当なやり方で背もたれ区域１４の下側に固定される。
【００１９】  背もたれ区域１４及びそれから自由に張出す座面区域１３の伸ばされる装置を開き揺動位置に固定するため、背もたれ区域１４に取付けられて座面区域１３の方へ突出する図示しない保持角形片が設けられて、座面区域１３用の支持体を形成し、それにより背もたれ区域１４と座面区域１３との間に設けられる丁番１８を安定にする。
【００２０】  図示してないが、背もたれ区域１４及び座面区域１３の開き持上げ後に残る座面１１及び背もたれ１２の部分範囲１５及び１６が、背もたれ面に対して平行に移動可能に基本骨組１０に設けられ、それにより残っている座り範囲と開き揺動されたテーブル面との間隔が増大されるので、快適な座り位置をとることができるようにすることができる。
【００２１】  その代わりに又はそれに加えて、座面１１及び背もたれの前述した部分範囲１５，１６が、座面に対して直角に向く軸線の周りに回転可能であるようにすることができる。これにより、椅子に残る座り範囲が、その向きを、椅子から開き揺動されるテーブルに対して変化されることができ、その際特に回転可能性と縦移動可能性との組合わせにより、テーブル範囲から座り範囲の間隔を大きくすることができる。
【００２２】  最後に図７からわかるように、背もたれ区域１４の開き持上げの際、座面区域１３がその間に設けられる丁番１８の周りに、背もたれ区域１４に対して角をなしてそびえ立つ位置へ揺動可能であり、この位置で背もたれ区域１４及び座面区域１３により、高められる別の座り可能性が与えられ、この座り可能性において背もたれ区域１４が高められた座席の座面として作用し、座面区域１３が背もたれとしえ作用するようにすることもできる。
【００２３】  前記説明、特許請求の範囲、要約及び図面に開示されたこの書類の対象の特徴は、単独でも任意の組合わせでも、その種々の実施形態において本発明の実現のために重要である。
【図１】
2014507236.tif 000003
【図２】
2014507236.tif 000004
【図３】
2014507236.tif 000005
【図４】
2014507236.tif 000006
【図５】
2014507236.tif 000007
【図６】
2014507236.tif 000008
【図７】
2014507236.tif 000009
【国際調査報告】
2014507236.tif 000010
2014507236.tif 000011
2014507236.tif 000012
2014507236.tif 000013